(57)【要約】      （修正有）【課題】身体に障害がある人や高齢者や幼児用に用いる食事用具であり、口腔内への不快感を与えず、洗浄や殺菌処理や消毒処理などを繰り返しても強度的に十分な耐久性を備えた食事用具を提供する。【解決手段】食物保持部と把持部とからなる。食物保持部が芯部と芯部を被覆する被覆部で形成され、把持部が芯部と芯部を被覆する被覆部で形成され、食物保持部芯部と把持部芯部が比較的硬質な合成樹脂を用いて一体成型され、食物保持部被覆部と把持部被覆部がシリコン樹脂またはシリコンゴムを用いて一体成型される。【選択図】図１
0003164456.tif 000002
【実用新案登録請求の範囲】
【請求項１】
食物保持部と把持部とからなり全体が一体成型された飲食用の食事用具において、前記食物保持部が芯部と芯部を被覆する被覆部で形成され、前記把持部が芯部と芯部を被覆する被覆部で形成され、前記食物保持部芯部と前記把持部芯部が比較的硬質な合成樹脂を用いて一体成型され、前記食物保持部被覆部と前記把持部被覆部がシリコン樹脂またはシリコンゴムを用いて一体成型されることを特徴とする、シリコン樹脂製食事用具。
【請求項２】
前記シリコン樹脂製食事用具が飲食用のフォークであり、前記シリコン樹脂製フォークの食物保持部が少なくとも２つの刺し部から形成され、前記フォーク刺し部は前記芯部と前記被覆部で形成され、前記フォーク刺し部芯部と前記把持部芯部が比較的硬質な合成樹脂を用いて一体成型され、前記フォーク刺し部被覆部と前記把持部被覆部がシリコン樹脂またはシリコンゴムを用いて一体成型されることを特徴とする、請求項１に記載のシリコン樹脂製食事用具。
【請求項３】
前記フォーク刺し部が、少なくとも３つの刺し部で形成されている場合に、その中の少なくとも１つの刺し部の長さが他の刺し部の長さよりも短くなるように形成することを特徴とする、請求項１または請求項２に記載のシリコン樹脂製食事用具。
【請求項４】
前記フォーク刺し部芯部の少なくとも１つの先端部に玉状体または凸状体を形成させることを特徴とする、請求項１から請求項３のいずれかに記載のシリコン樹脂製食事用具。
【請求項５】
前記フォーク刺し部被覆部の少なくとも１つの少なくとも一方の側面に突起体または凸状体を形成させることを特徴とする、請求項１から請求項４のいずれかに記載のシリコン樹脂製食事用具。
【考案の詳細な説明】
【技術分野】
【０００１】  本考案は、食物保持部と把持部とから成り全体が一体成型された飲食用の食事用具において、前記食物保持部が芯部と芯部を被覆する被覆部で形成され、前記把持部が芯部と芯部を被覆する被覆部で形成され、前記食物保持部芯部と前記把持部芯部が比較的硬質な合成樹脂を用いて一体成型され、前記食物保持部被覆部と前記把持部被覆部がシリコン樹脂またはシリコンゴムを用いて一体成型されることを特徴とする、シリコン樹脂製食事用具に関するものである。
【背景技術】
【０００２】  近年、身体に障害がある人や高齢者や幼児など、通常の箸やスプーンやフォークなどの食事用具をうまく使えない人を対象にした、工夫された食事用具の提案が成されるようになってきた。その中でも従来の食事用具では口腔内を傷つけてしまう恐れのある人を対象にした軟質プラスチックやシリコン樹脂などを用いた食事用具の開発例が増えてきた。
例えば、食事の際に口腔に挿入されるさじ部を、芯がありながらも口当たりの良い柔らかなものにすることを課題とし、その解決手段として、比較的硬度の高いシリコン樹脂製で、先端に肉薄な接続部２を延長設した柄部１と、比較的硬度の低いシリコン樹脂製で、接続部２と柄部１の先端を成形金型の一部として薄皿状に柄部１に一体成形されるさじ部３とから構成されるスプーンの開発案件が知られている。（特許文献１を参照する）
また例えば、異なる相対的硬さを有する材料で作成された組み合せ材料の食事用具の提供を課題とし、その解決手段として、用具の骨格は硬質材料で作成されて構造一体性を付与すると共に、たとえばボウルもしくはプレートのような皿の底部に沿って用具を容易に摺動させることができ、用具の外縁部およびそのハンドルの部分はたとえばクラトンもしくはシリコーンのような比較的軟質の材料で作成されて、口の内部およびガム質との快適な接触を与える、改良幼児スプーンおよびその製造方法の開発案件が知られている。（特許文献２を参照する）
また例えば、唇、口或いは舌の動きに制限がある人が無理なく食事ができるようなスプーン様喫食用器具を提供することを課題とし、その解決手段として、柄部と皿状凹部を備えており、皿状凹部が二層構造となっており、皿状凹部の上層部が流動体の圧力または機械的要素によって上下に移動可能であるスプーン様喫食器具であり、前記柄部と皿状凹部が、共に中空部を有していて、中空部は互いに連通しており、中空部に流動体が充填されており、皿状凹部の上層部が下層部より柔軟性を有しているスプーン様喫食器具の開発案件が知られている。（特許文献３を参照する）【０００３】  また、従来から身体に障害がある人や高齢者や幼児など、通常の箸やフォークなどの食事用具ではスパゲッティや麺類などをうまく食することが難しい人を対象にした、工夫された食事用具の提案が成されるようになってきた。その中でも従来の食事用具では口腔内を傷つけてしまう恐れのある人を対象にした軟質プラスチックやシリコン樹脂などを用いた食事用具の開発例が増えてきた。
例えば、スパゲッティなどの麺類を食するにあたり、頭部の側面で麺類が滑りにくく、麺類を頭部に容易に絡め取ることができ、麺類が頭部から脱落しにくいような、飲食用フォークの提供を課題とし、その解決手段として、棒状の柄部２と、複数の突片３ａ，３ｂ，３ｃを有する頭部３と、からなり、全体がプラスチックにより成形される飲食用フォーク１であって、前記頭部の少なくとも一方の側面に凹溝４が形成されていることを特徴とする、飲食用フォークの開発案件が知られている。（特許文献４を参照する）【０００４】
【特許文献１】特開２０００−７９０４４号公報
【特許文献２】特表２００２−５２３１１７号公報
【特許文献３】特開２００８−２７８９５９号公報
【特許文献４】実用新案登録第３０７０６８５号公報
【考案の開示】
【考案が解決しようとする課題】
【０００５】  ところが、特許文献１のスプーンの開発案件では、比較的硬度の高いシリコン樹脂製で、先端に肉薄な接続部を延長設した柄部と、比較的硬度の低いシリコン樹脂製で、接続部と柄部の先端を成形金型の一部として薄皿状に柄部に一体成形されるさじ部とから構成されることを特徴とするが、身体に障害がある人や高齢者や幼児用に用いる食事用具は、比較的硬度の低いシリコン樹脂製での成形部位に雑菌が繁殖しやすいという問題が知られており、そのため、食器洗浄器で頻繁に洗浄したり、沸騰消毒を頻繁にしたり、殺菌剤による殺菌処理を頻繁にしたり、消毒剤による消毒処理を頻繁にしたり、する場合が多いので、比較的硬度の高いシリコン樹脂部と比較的硬度の低いシリコン樹脂部との接続部分の存在により、特許文献１のスプーンでは耐久性に問題があるという指摘を受けている。【０００６】  また特許文献２の改良幼児スプーンおよびその製造方法の開発案件では、用具の骨格は硬質材料で作成されて構造一体性を付与すると共に、たとえばボウルもしくはプレートのような皿の底部に沿って用具を容易に摺動させることができ、用具の外縁部およびそのハンドルの部分はたとえばクラトンもしくはシリコーンのような比較的軟質の材料で作成されることを特徴とするが、軟質材料での成形部位に雑菌が繁殖しやすいという問題が知られており、そのため、この改良幼児スプーンは、食器洗浄器で頻繁に洗浄したり、沸騰消毒を頻繁にしたり、する必要性があるにも関わらず、軟質材料と硬質材料との境目が存在しているので、耐久性に問題があるという指摘を受けている。【０００７】  また特許文献３のスプーン様喫食器具の開発案件では、柄部と皿状凹部を備えており、皿状凹部が二層構造となっており、皿状凹部の上層部が流動体の圧力または機械的要素によって上下に移動可能であるスプーン様喫食器具であり、前記柄部と皿状凹部が、共に中空部を有していて、中空部は互いに連通しており、中空部に流動体が充填されており、皿状凹部の上層部が下層部より柔軟性を有しているが、身体に障害がある人や高齢者や幼児用に用いる食事用具は、軟質材料での成形部位に雑菌が繁殖しやすいという問題が知られており、そのため、食器洗浄器で頻繁に洗浄したり、沸騰消毒を頻繁にしたり、殺菌剤による殺菌処理を頻繁にしたり、消毒剤による消毒処理を頻繁にしたり、する必要があり、このため構造的に複雑な特許文献３のスプーン様喫食器具では耐久性に問題があるという指摘を受けている。【０００８】  また、特許文献４の飲食用フォークの開発案件では、棒状の柄部と、複数の突片を有する頭部と、からなり、全体がプラスチックにより成形される飲食用フォークであって、前記頭部の少なくとも一方の側面に凹溝が形成されていることを特徴とするが、身体に障害がある人や高齢者や幼児用に用いる食事用具は、軟質材料での成形部位に雑菌が繁殖しやすいという問題が知られており、そのため、食器洗浄器で頻繁に洗浄したり、沸騰消毒を頻繁にしたり、殺菌剤による殺菌処理を頻繁にしたり、消毒剤による消毒処理を頻繁にしたり、する必要があり、このため特許文献４の飲食用フォークでは耐熱性または強度的に問題があるという指摘を受けている。【０００９】  本考案��、上記の課題を解決するために成されたものであり、身体に障害がある人や高齢者や幼児用に用いる食事用具であり、口腔内（舌、歯、歯茎、粘膜など）への不快感を与えないために軟質プラスチック製またはシリコン樹脂製の食事用具であり、食器洗浄器での洗浄や沸騰消毒や殺菌剤による殺菌処理や消毒剤による消毒処理などを繰り返し実施しても強度的に十分な耐久性を備えた食事用具の提供を目的とする。また以上の課題を解決しながら、スパゲッティや麺類を容易に食することができる軟質プラスチック製またはシリコン樹脂製のフォークの提供を目的とする。
【課題を解決するための手段】
【００１０】  課題を解決するための第一の手段（請求項１の記載を含む）は、食物保持部と把持部とから成り全体が一体成型された飲食用の食事用具において、前記食物保持部が芯部と芯部を被覆する被覆部で形成され、前記把持部が芯部と芯部を被覆する被覆部で形成され、前記食物保持部芯部と前記把持部芯部が比較的硬質な合成樹脂を用いて一体成型され、前記食物保持部被覆部と前記把持部被覆部がシリコン樹脂またはシリコンゴムを用いて一体成型されることを特徴とする、シリコン樹脂製食事用具を提供することである。【００１１】  課題を解決するための第一の手段で記述した比較的硬質な合成樹脂に関しては、本明細書で記述または使用するシリコン樹脂またはシリコンゴムまたは比較的軟質な合成樹脂よりは硬度の高い合成樹脂であれば使用できるものとする。ただし、前記食物保持部芯部と前記把持部芯部に前記食事用具に骨格を与え、好ましくは構造剛性を付与し、使用に際し本明細書で記述する食事用具の不当な屈曲を防止するものを選択するものとする。好適具体例としては、ナイロン６６、ナイロン６、ポリプロピレン、高密度ポリエチレン、中密度ポリエチレン、ポリスチレンなどの熱可塑性樹脂やメラミン樹脂などの熱硬化性樹脂や硬質シリコン樹脂などが知られている。また、前記硬質シリコン樹脂に関しては、例えばシリコン樹脂は、その硬度として、軟質のものから硬質のものまで３０度から９０度程度の段階があり、ここでは６０〜８０度程度のものを採用するのが好ましい。また前記合成樹脂に関しては、透明タイプ、半透明タイプ、着色タイプ、などから選択して単独で用いても組合わせて用いても構わない。【００１２】  課題を解決するための第一の手段で記述したシリコン樹脂（シリコーン樹脂ともいう）に関しては、例えばシリコン樹脂は、その硬度として、軟質のものから硬質のものまで３０度から９０度程度の段階があり、課題を解決するための第一の手段で記述した食物保持部被覆部と把持部被覆部に用いるシリコン樹脂に関しては、３０〜６０度程度のものを採用するのが好ましい。また前記シリコン樹脂に関しては、透明タイプ、半透明タイプ、着色タイプ、などから選択して単独で用いても組合わせて用いても構わない。またシリコン樹脂とは、ケイ素樹脂とも呼ばれ、ケイ素化合物を主成分とする合成樹脂であり、一般的には、高分子シリコーンを主成分とするシリコーン樹脂を意味する。化学以外の分野からは「シリコーン」「シリコン」の呼称でシリコーン樹脂を指すことがある。
課題を解決するための第一の手段で記述したシリコンゴム（シリコーンゴム）（ｓｉｌｉｃｏｎｅ  ｒｕｂｂｅｒ）とは、シリコーン樹脂（シリコーンを主成分とする合成樹脂）のうち、ゴム状のものをいう。シリコンゴム、ケイ素ゴムとも言われる。【００１３】  課題を解決するための第一の手段で記述したシリコン樹脂製食事用具を製造するために、前記食物保持部芯部と前記把持部芯部が比較的硬質な合成樹脂を用いて一体成型する方法は、特に制限はなく、従来公知の成型方法を採用することができる。また前記食物保持部被覆部と前記把持部被覆部がシリコン樹脂またはシリコンゴムを用いて一体成型する方法は、特に制限はなく、従来公知の成型方法を採用することができる。【００１４】  課題を解決するための第二の手段（請求項２の記載を含む）は、前記シリコン樹脂製食事用具が飲食用のフォークであり、前記シリコン樹脂製フォークの食物保持部が少なくとも２つの刺し部から形成され、前記フォーク刺し部は前記芯部と前記被覆部で形成され、前記フォーク刺し部芯部と前記把持部芯部が比較的硬質な合成樹脂を用いて一体成型され、前記フォーク刺し部被覆部と前記把持部被覆部がシリコン樹脂またはシリコンゴムを用いて一体成型されることを特徴とする、課題を解決するための第一の手段に記載のシリコン樹脂製食事用具を提供することである。【００１５】  課題を解決するための第二の手段で記述したフォーク刺し部に関しては、少なくとも２つの刺し部から形成されているが、好適には３つの刺し部から形成されている場合である。この場合の３つの刺し部は夫々平行であることが好ましいが夫々平行でなくとも構わない。【００１６】  課題を解決するための第二の手段で記述したシリコン樹脂製フォークを製造するために、前記フォーク刺し部芯部と前記把持部芯部が課題を解決するための第一の手段で記述された比較的硬質な合成樹脂を用いて一体成型する方法は、特に制限はなく、従来公知の成型方法を採用することができる。また前記フォーク刺し部被覆部と前記把持部被覆部が課題を解決するための第一の手段で記述されたシリコン樹脂または課題を解決するための第一の手段で記述されたシリコンゴムを用いて一体成型する方法は、特に制限はなく、従来公知の成型方法を採用することができる。【００１７】  課題を解決するための第三の手段（請求項３の記載を含む）は、前記フォーク刺し部が、少なくとも３つの刺し部で形成されている場合に、その中の少なくとも１つの刺し部の長さが他の刺し部の長さよりも短くなるように形成することを特徴とする、課題を解決するための第一の手段または課題を解決するための第二の手段に記載のシリコン樹脂製食事用具を提供することである。【００１８】  課題を解決するための第三の手段で記述した前記フォーク刺し部が、少なくとも３つの刺し部で形成されている場合に、その中の少なくとも１つの刺し部の長さが他の刺し部の長さよりも短くなるように形成する手段に関しては、課題を解決するための第二の手段に記載の、フォーク刺し部芯部とフォーク刺し部被覆部が、少なくとも３つの刺し部で形成されている場合に、その中の少なくとも１つの刺し部の長さが他の刺し部の長さよりも短くなるように設計した金型を���して従来公知の成型方法を用いて、形成すればよい。また、課題を解決するための第二の手段に記載の、フォーク刺し部芯部とフォーク刺し部被覆部が、少なくとも３つの刺し部で形成されている場合に、その中の少なくとも１つの刺し部の長さが他の刺し部の長さよりも短くなるように形成する場合に、その長さは任意で構わない。【００１９】  課題を解決するための第四の手段（請求項４の記載を含む）は、前記フォーク刺し部芯部の少なくとも１つの先端部に玉状体または凸状体を形成させることを特徴とする、課題を解決するための第一の手段から課題を解決するための第三の手段のいずれかに記載のシリコン樹脂製食事用具を提供することである。【００２０】  課題を解決するための第四の手段で記述した前記フォーク刺し部芯部の少なくとも１つの先端部に玉状体または凸状体を形成させることに関しては、前記刺し部芯部先端部に少なくとも１つの先端部に玉状体または凸状体を形成させないタイプと前記刺し部芯部先端部に少なくとも１つの先端部に玉状体または凸状体を形成させるタイプとの前記フォーク刺し部芯部と前記フォーク刺し部被覆部との一体化のための成型手段を経た後の前記フォーク刺し部芯部と前記フォーク刺し部被覆部との密着性を比較すると前記刺し部芯部先端部に少なくとも１つの先端部に玉状体または凸状体を形成させたタイプの前記フォーク刺し部の強度が向上することを本考案の考案者が当社開発部の試作室内での本考案の試作品のテスト中に見出し本考案に至った次第である。このことは前記刺し部芯部先端部の表面積が増えることで、前記フォーク刺し部芯部と前記フォーク刺し部被覆部との密着性が向上すると想定される。【００２１】  課題を解決するための第四の手段で記述した前記フォーク刺し部芯部の少なくとも１つの先端部に玉状体または凸状体を形成させる手段に関しては、前記刺し部芯部先端部に少なくとも１つの玉状体または凸状体を形成させるように設計した金型を介して従来公知の成型方法を用いて、形成すればよい。また前記玉状体または前記凸状体の寸法や形状や数量は任意で構わないものとする。【００２２】  課題を解決するための第五の手段（請求項５の記載を含む）は、前記フォーク刺し部被覆部の少なくとも１つの少なくとも一方の側面に突起体または凸状体を形成させることを特徴とする、課題を解決するための第一の手段から課題を解決するための第四の手段のいずれかに記載のシリコン樹脂製食事用具を提供することである。【００２３】  課題を解決するための第一の手段から課題を解決するための第四の手段のいずれかに記載のシリコン樹脂製食事用具は全体がシリコン樹脂またはシリコンゴムを用いて一体成型され前記シリコン樹脂製食事用具は全体が平滑にしかも軟質系素材で形成されているので、前記フォーク刺し部の表面も柔らかくかつ比較的滑らかであるため、スパゲッティやそばやうどんやそうめんなどの麺類全般を食する場合、滑りやすく絡め取りにくいという問題や、さらに本考案の利用者が何とか前記シリコン樹脂製食事用具でスパゲッティや前記麺類をやっと絡め取り本考案の利用者の口に運ぶ段階でスパゲッティや前記麺類が脱落しやすい、という不都合が生じていた。そこで、本考案の考案者が当社開発部の試作室内で課題を解決するための第五の手段で記述した前記フォーク刺し部被覆部の少なくとも１つの少なくとも一方の側面に突起体または凸状体を形成させたところ、上述した不都合が解消されることを本考案の試作品のテスト中に見出し本考案に至った次第である。【００２４】  課題を解決するための第五の手段（請求項５の記載を含む）は、前記フォーク刺し部被覆部の少なくとも１つの少なくとも一方の側面に突起体または凸状体を形成させる手段に関しては、前記フォーク刺し部被覆部の少なくとも１つの少なくとも一方の側面に突起体または凸状体を形成させるように設計した金型を介して従来公知の成型方法を用いて、形成すればよい。また前記突起体または前記凸状体の寸法や形状や数量は任意で構わないものとする。また前記の一方の側面に関しては、前記フォーク刺し部被覆部の外側側面であることが好ましい。
【考案の効果】
【００２５】  請求項１（課題を解決するための第一の手段で記述した内容を含む）の考案によって、食物保持部芯部と把持部芯部が比較的硬質な合成樹脂を用いて一体成型され食物保持部被覆部と把持部被覆部がシリコン樹脂を用いて一体成型され全体の一体感が強化されることで、食器洗浄器での洗浄を繰り返しても、または沸騰消毒を繰り返しても、または殺菌剤による殺菌処理を繰り返しても、または消毒剤による消毒処理などを繰り返し実施しても十分な耐久性を備えた、シリコン樹脂製食事用具を提供できる。【００２６】  請求項１（課題を解決するための第一の手段で記述した内容を含む）の考案によって、上述した考案の効果に加えて、食物保持部芯部と把持部芯部が比較的硬質な合成樹脂を用いて一体成型され食物保持部被覆部と把持部被覆部がシリコン樹脂を用いて一体成型され、すなわち全体が一体成型されるような効果を達成することで、本考案には境界部分とか段差とか切れ目等がほとんどなく連続した形状に形成されていることから、前記境界部分とか前記段差とか前記切れ目等に食物の残滓や唾液や口中の雑菌が溜まって不衛生となるといった問題もない、シリコン樹脂製食事用具を提供できる。【００２７】  従来の金属製のフォークではもちろんのこと硬質プラスチック製のフォークでもその刺し部によって、例えば、身体に障害がある人や高齢者や幼児用に用いる場合には、口腔内（舌、歯、歯茎、粘膜など）への不快感を与えたり、口腔内（舌、歯、歯茎、粘膜など）への傷や破損が生じたりする場合が知られているが、請求項２（課題を解決するための第二の手段で記述した内容を含む）の考案により、上述した考案の効果に加えて、前記フォーク刺し部被覆部と前記把持部被覆部がシリコン樹脂またはシリコンゴムを用いて一体成型されることで、前記フォーク刺し部被覆部が口腔内保護手段として機能し、身体に障害がある人や高齢者や幼児用に用いても、口腔内（舌、歯、歯茎、粘膜など）への不快感を与えたり、口腔内（舌、歯、歯茎、粘膜など）への傷や破損を減少させることができる。【００２８】  本来なら、本考案のようにシリコン樹脂またはシリコンゴムまたはその他軟質系素材で飲食用のフォークを製作すると、前記フォーク刺し部の表面も柔らかくかつ比較的滑らかであるため、スパゲッティやそばやうどんやそうめんなどの麺類全般を食する場合、滑りやすく絡め取りにくいという問題があったが、請求項３（課題を解決するための第三の手段で記述した内容を含む）の考案により、上述した考案の効果に加えて、前記フォーク刺し部が、少なくとも３つの刺し部で形成されている場合に、その中の少なくとも１つの刺し部の長さが他の刺し部の長さよりも短くなるように形成することで、図１に示すとおりスパゲッティや前記麺類に対する接触面積を比較的増加させることができ、その結果、シリコン樹脂またはシリコンゴムまたはその他軟質系素材で作製した飲食用のフォークであるにも拘らず、スパゲッティや前記麺類を比較的容易に食することができる、シリコン樹脂製食事用具の提供が可能になる。【００２９】  請求項４（課題を解決するための第四の手段で記述した内容を含む）の考案によって、上述した考案の効果に加えて、前記刺し部芯部先端��に少なくとも１つの先端部に玉状体または凸状体を形成させないタイプと前記刺し部芯部先端部に少なくとも１つの先端部に玉状体または凸状体を形成させるタイプとの前記フォーク刺し部芯部と前記フォーク刺し部被覆部との一体化のための成型手段を経た後の前記フォーク刺し部芯部と前記フォーク刺し部被覆部との密着性を比較すると前記刺し部芯部先端部に少なくとも１つの先端部に玉状体または凸状体を形成させたタイプの前記フォーク刺し部の強度が向上するので、硬質系素材と軟質系素材との２重の素材で形成されている飲食用のフォークであるにも拘らず、耐久性を向上させたシリコン樹脂製食事用具を提供できる。【００３０】  本来なら、本考案のようにシリコン樹脂またはシリコンゴムまたはその他軟質系素材で飲食用のフォークを製作すると、前記フォーク刺し部の表面も柔らかくかつ比較的滑らかであるため、スパゲッティやそばやうどんやそうめんなどの麺類全般を食する場合、滑りやすく絡め取りにくいという問題があったが、請求項５（課題を解決するための第五の手段で記述した内容を含む）の考案により、上述した考案の効果に加えて、前記フォーク刺し部被覆部の少なくとも１つの少なくとも一方の側面に突起体または凸状体を形成させることで、スパゲッティや前記麺類に対する接触面積を図１に示すとおり相当に増加させることができ、その結果、シリコン樹脂またはシリコンゴムまたはその他軟質系素材で作製した飲食用のフォークであるにも拘らず、スパゲッティや前記麺類を相当容易に食することができる、シリコン樹脂製食事用具の提供が可能になる。【００３１】  請求項５（課題を解決するための第五の手段で記述した内容を含む）の考案によって、上述した考案の効果に加えて、前記フォーク刺し部被覆部の少なくとも１つの少なくとも一方の側面に、シリコン樹脂またはシリコンゴムまたはその他軟質系素材の突起体または凸状体を形成させることで、前記突起体または前記凸状体を食器や皿に押し当てることで食器や皿に対する接触面積を相当に増加させることができるので、食器や皿の食物を寄せ集めたりきれいに掻き取ったりすることが容易にできる、シリコン樹脂製食事用具の提供が可能になる。
【考案を実施するための最良の形態】
【００３２】  以下、本考案のシリコン樹脂製食事用具の実施の形態について、図１〜図３に基づいて説明する。図１は本考案の実施の形態例を示す正面図である。図２は本考案の実施の形態例を示す側面図である。図３は図１の食物保持部を説明するための拡大図である。図４は本考案の実施の形態例を示す使用説明図である。
【実施例１】
【００３３】  図１と図２より、請求項１および課題を解決するための第一の手段で記述した内容の実施例を説明する。Ｆは食物保持部と把持部とから成り全体が一体成型された飲食用の食事用具としてのフォークであり、ＦａはフォークＦの食物保持部であり、ＦｂはフォークＦの把持部である。Ｆａ１０は食物保持部Ｆａの芯部であり、Ｆａ２０は食物保持部芯部Ｆａ１０を被覆する被覆部であり、食物保持部Ｆａは食物保持部芯部Ｆａ１０と食物保持部被覆部Ｆａ２０になるように形成される。Ｆｂ１０は把持部Ｆｂの芯部であり、Ｆｂ２０は把持部芯部Ｆｂ１０を被覆する被覆部であり、把持部Ｆｂは把持部芯部Ｆｂ１０と把持部被覆部Ｆｂ２０になるように形成される。また食物保持部芯部Ｆａ１０と把持部芯部Ｆｂ１０を一体になるように、かつフォークＦの骨格になるように形成する手段は、食物保持部芯部Ｆａ１０と把持部芯部Ｆｂ１０を一体になるよう設計した金型と本明細書で記述した比較的硬質な合成樹脂から選択したナイロン６を用いて公知の成型方法により一体成型される。次に一体成型された物保持部芯部Ｆａ１０と把持部芯部Ｆｂ１０に食物保持部被覆部Ｆａ２０と把持部被覆部Ｆｂ２０を形成する手段は、一体成型後の物保持部芯部Ｆａ１０と把持部芯部Ｆｂ１０を食物保持部被覆部Ｆａ２０と把持部被覆部Ｆｂ２０を形成するように設計した金型に入れて本明細書で記述したシリコン樹脂またはシリコンゴムまたは比較的軟質な合成樹脂から選択したシリコンゴム原料を注入して公知の成型方法により一体成型され、フォークＦを形成する。
【実施例２】
【００３４】  図１と図２より、請求項２および課題を解決するための第二の手段で記述した内容の実施例を説明する。実施例１によるフォークＦを基にして、Ｆａ１１は食物保持部芯部Ｆａ１０から食物を刺し入れるのに適切な形状に形成されるフォーク刺し部の一つであり食物保持部芯部Ｆａ１０の一端に設けられるフォーク刺し部芯部であり、Ｆａ１２は食物保持部芯部Ｆａ１０から食物を刺し入れるのに適切な形状に形成されるフォーク刺し部の一つであり食物保持部芯部Ｆａ１０の他端に設けられるフォーク刺し部芯部であり、Ｆａ１３は食物保持部芯部Ｆａ１０から食物を刺し入れるのに適切な形状に形成されるフォーク刺し部の一つでありフォーク刺し部芯部Ｆａ１１とフォーク刺し部芯部Ｆａ１２の間に設けるように形成されるフォーク刺し部芯部である。Ｆａ２１は食物保持部被覆部Ｆａ２０の一部としてフォーク刺し部Ｆａ１１を被覆するように形成されるフォーク刺し部被覆部であり、Ｆａ２２は食物保持部被覆部Ｆａ２０の一部としてフォーク刺し部Ｆａ１２を被覆するように形成されるフォーク刺し部被覆部であり、Ｆａ２３は食物保持部被覆部Ｆａ２０の一部としてフォーク刺し部Ｆａ１３を被覆するように形成されるフォーク刺し部被覆部である。
【実施例３】
【００３５】  図３より、請求項３および課題を解決するための第三の手段で記述した内容の実施例を説明する。実施例１または実施例２によるフォークＦのフォーク刺し部が、フォーク刺し部芯部Ｆａ１１、フォーク刺し部芯部Ｆａ１２、フォーク刺し部芯部Ｆａ１３、で形成されている場合には、夫々フォーク刺し部被覆部Ｆａ２１、フォーク刺し部被覆部Ｆａ２２、フォーク刺し部被覆部Ｆａ２３、が形成されているという場合に、フォーク刺し部芯部Ｆａ１３は図示したようにフォーク刺し部芯部Ｆａ１１よりも短くなるように形成し、それに合わせてフォーク刺し部被覆部Ｆａ２１を形成させる。また、フォーク刺し部芯部Ｆａ１３は図示したようにフォーク刺し部芯部Ｆａ１２よりも短くなるように形成し、それに合わせてフォーク刺し部被覆部Ｆａ２２を形成させる。
【実施例４】
【００３６】  図３より、請求項４および課題を解決するための第四の手段で記述した内容の実施例を説明する。実施例１または実施例２または実施例３によるフォークＦのフォーク刺し部が、フォーク刺し部芯部Ｆａ１１、フォーク刺し部芯部Ｆａ１２、フォーク刺し部芯部Ｆａ１３、で形成されている場合には、夫々フォーク刺し部被覆部Ｆａ２１、フォーク刺し部被覆部Ｆａ２２、フォーク刺し部被覆部Ｆａ２３、が形成されているという場合において、Ｆａ１１凸はフォーク刺し部芯部Ｆａ１１の先端部に形成させた玉状体であるフォーク刺し部芯部玉状体であり、Ｆａ１２凸はフォーク刺し部芯部Ｆａ１２の先端部に形成させた玉状体であるフォーク刺し部芯部玉状体である。次にフォーク刺し部芯部玉状体Ｆａ１１凸を形成させフォーク刺し部被覆部Ｆａ２１の先端部と一体になるように成型することでフォーク刺し部芯部玉状体Ｆａ１１凸とフォーク刺し部被覆部Ｆａ２１の先端部との密着度が向上し、すると食物保持部芯部Ｆａ１０と食物保持部被覆部Ｆａ２０の強度が向上しさらに食物保持部Ｆａ及びフォークＦの耐久性の向上に繋がるものである。次にフォーク刺し部芯部玉状体Ｆａ１２凸を形成させフォーク刺し部被覆部Ｆａ２２の先端部と一体になるように成型することでフォーク刺し部芯部玉状体Ｆａ１２凸とフォーク刺し部被覆部Ｆａ２２の先端部との密着度が向上し、すると食物保持部芯部Ｆａ１０と食物保持部被覆部Ｆａ２０の強度が向上しさらに食物保持部Ｆａ及びフォークＦの耐久性の向上に繋がるものである。
【実施例５】
【００３７】  図３と図４より、請求項５および課題を解決するための第五の手段で記述した内容の実施例を説明する。実施例１または実施例２または実施例３または実施例４によるフォークＦのフォーク刺し部が、フォーク刺し部芯部Ｆａ１１、フォーク刺し部芯部Ｆａ１２、フォーク刺し部芯部Ｆａ１３、で形成されている場合には、夫々フォーク刺し部被覆部Ｆａ２１、フォーク刺し部被覆部Ｆａ２２、フォーク刺し部被覆部Ｆａ２３、が形成されているという場合において、Ｆａ２１凸はフォーク刺し部被覆部Ｆａ２１の外側側面に形成させた少なくとも１つ以上（任意）の突起体であるフォーク刺し部被覆部突起体であり、Ｆａ２２凸はフォーク刺し部被覆部Ｆａ２２の外側側面に形成させた少なくとも１つ以上（任意）の突起体であるフォーク刺し部被覆部突起体である。すなわち、フォーク刺し部被覆部突起体Ｆａ２１凸を形成させることでフォーク刺し部被覆部Ｆａ２１のスパゲッティやそばやうどんやそうめんなどの麺類全般に対する接触面積が相当数増加することで、スパゲッティや前記麺類全般を食する場合でも、効率よく絡め取ることができ、フォーク刺し部被覆部突起体Ｆａ２２凸を形成させることでフォーク刺し部被覆部Ｆａ２２のスパゲッティやそばやうどんやそうめんなどの麺類全般に対する接触面積が相当数増加することで、スパゲッティや前記麺類全般を食する場合でも、効率よく絡め取ることができる。【００３８】  図４より、本考案のシリコン樹脂製食事用具であるフォークＦを使用して、そばやうどんやそうめんなどの麺類全般を食する場合の手順を説明する。なお、Ｍは麺類であり、Ｂは麺類Ｍが入れられている食器であり、Ｍ１は食器ＢよりフォークＦを用いて絡め取られている麺類である。
（１）まず本考案の使用者は、麺類Ｍが入れられている食器Ｂの内部にフォークＦの食物保持部Ｆａを差し入れる。
（２）すると食物保持部被覆部Ｆａ２０が麺類Ｍに接触する。
（３）フォークＦを回転させると、フォーク刺し部被覆部Ｆａ２１やフォーク刺し部被覆部Ｆａ２２との接触により麺類Ｍ１が絡め取られる。
（４）次に本考案の使用者は、食物保持部Ｆａを口中に移動させ食する。【００３９】  上記実施の形態の説明は、本考案を説明するためのものであって、実用新案登録請求の範囲に記載の考案を限定し、或は範囲を減縮するものではない。また、本考案の各部構成は上記実施の形態に限らず、実用新案登録請求の範囲に記載の技術的範囲内で種々の変形が可能である。
【産業上の利用可能性】
【００４０】  本考案のシリコン樹脂製食事用具は、身体に障害がある人や高齢者や幼児用に用いる食事用具としてだけでなく、健常者または一般的な消費者が使用しても口腔内（舌、歯、歯茎、粘膜など）への不快感を与えない食事用具として提供できるので、産業上の利用可能性は高いと判断できる。
【図面の簡単な説明】
【００４１】
【図１】本考案の実施の形態例を示す正面図である。
【図２】本考案の実施の形態例を示す側面図である。
【図３】図１の食物保持部を説明するための拡大図である。
【図４】本考案の実施の形態例を示す使用説明図である。
【符号の説明】
【００４２】Ｍ・・麺類
Ｍ１・・麺類
Ｂ・・食器
Ｆ・・フォーク
Ｆａ・・食物保持部
Ｆｂ・・把持部
Ｆａ１０・・食物保持部芯部
Ｆａ１１・・フォーク刺し部芯部
Ｆａ１１凸・・フォーク刺し部芯部玉状体
Ｆａ１２・・フォーク刺し部芯部
Ｆａ１２凸・・フォーク刺し部芯部玉状体
Ｆａ１３・・フォーク刺し部芯部
Ｆａ２０・・食物保持部被覆部
Ｆａ２１・・フォーク刺し部被覆部
Ｆａ２１凸・・フォーク刺し部被覆部突起体
Ｆａ２２・・フォーク刺し部被覆部
Ｆａ２２凸・・フォーク刺し部被覆部突起体
Ｆａ２３・・フォーク刺し部被覆部
Ｆｂ１０・・把持部芯部
Ｆｂ２０・・把持部被覆部
【図１】
0003164456.tif 000003
【図２】
0003164456.tif 000004
【図３】
0003164456.tif 000005
【図４】
0003164456.tif 000006